(57)【要約】【課題】省電力化を図りながら、比較的短時間で撮影を開始できる画像記録装置及び消費電力低減方法を得る。【解決手段】デジタルカメラ１００が、再生モードにあり、かつスライドショーモード、動画再生モード、画像編集モード、及び画像送り戻し再生モードでないとき、撮影レンズ１５０は、第１省電力モードに移行して、撮影レンズ１５０がレンズ撮影モードにあるときの動作クロックよりも低い動作クロックで動作し、かつレンズ撮影モードにあるときの通信頻度よりも低い頻度でカメラ本体１１０と通信を行う。デジタルカメラ１００が、スライドショーモード、動画再生モード、画像編集モード、及び画像送り戻し再生モードにあるとき、撮影レンズ１５０は、第２省電力モードに移行して、撮影レンズ１５０が有する全ての部材に電力を供給しない。【選択図】図１
2013102390.tif 000002
【特許請求の範囲】
【請求項１】
着脱可能な撮像レンズを介して被写体像を撮像する画像記録装置であって、
複数の動作モードに応じて、前記画像記録装置の動作を制御する装置制御手段と、
前記撮像レンズに供給する電力を制御するレンズ電源制御手段とを備え、
前記動作モードが画像を再生する再生モードであるときに、所定期間以上撮像を行わない処理を前記装置制御手段が行うとき、前記撮像レンズに供給する電力を前記レンズ電源供給手段が切断する画像記録装置。
【請求項２】
画像を表示する画像表示手段をさらに備え、
前記処理は、前記画像表示手段が画像を所定の時間間隔で連続的に表示するスライドショーモードである請求項１に記載の画像記録装置。
【請求項３】
画像を表示する画像表示手段をさらに備え、
前記処理は、前記画像表示手段が動画を表示する動画再生モードである請求項１に記載の画像記録装置。
【請求項４】
画像を表示する画像表示手段と、前記画像表示手段に表示されている画像を編集する編集手段とをさらに備え、
前記処理は、画像を編集する画像編集モードである請求項１に記載の画像記録装置。
【請求項５】
画像を表示する画像表示手段と、前記画像表示手段に表示されている画像を次の画像又は前の画像に変更する変更手段とをさらに備え、
前記処理は、前記画像表示手段に表示されている画像を次の画像又は前の画像に変更する画像送り戻し再生モードである請求項１に記載の画像記録装置。
【請求項６】
着脱可能な撮像レンズを介して被写体像を撮像する画像記録装置において用いられる方法であって、
前記画像記録装置の動作モードを、画像を再生する再生モードに移行するステップと、
前記再生モードにおいて、所定期間以上撮像を行わない処理を実行するステップと、
前記処理を行うとき、撮像レンズに供給する電力を切断するステップとを備える消費電力低減方法。
【発明の詳細な説明】
【技術分野】
【０００１】
本発明は、着脱可能な撮影レンズを備える画像記録装置、及びその消費電力を低減する方法に関する。
【背景技術】
【０００２】
操作が一定時間ないときは電源を落として省電力を図り、撮影に入るときは比較的短時間で立ち上がることができるデジタルカメラが知られている。このデジタルカメラは、電源スイッチとシャッタースイッチの状況から装置の動作状態を判定し、判定された動作状態が所定時間を超えて継続されるときにＬＣＤのバックライトやＣＣＤ駆動回路など一部の回路の電源を落として消費電力を低減する（特許文献１）。特許文献１は、装置の動作状態として、再生モード、録画準備モード、録画待機モード、フォーカスロックモード、撮影モードを列挙する。
【先行技術文献】
【特許文献】
【０００３】
【特許文献１】特開２０００−５９６７５号公報
【発明の概要】
【発明が解決しようとする課題】
【０００４】
しかし、特許文献１に記載の構成は、列挙するような動作状態になったとき、直ちに回路の電源を落としてしまう。特許文献１が列挙するような動作状態に基づいて回路の電源を落とすと、ユーザが撮影しようとするとき、撮影可能となるまでに時間がかかり、ユーザにストレスを感じさせたり、シャッターチャンスを逃したりする恐れが生じる。例えば、撮影したばかりの画像を再生モードで確認し、その画像を参考にして再度撮影を行うような場合、引用文献１に記載の構成において画像を所定時間以上観察すると、一部の回路が停止してしまい、撮影可能となるまでに多くの時間を必要とする。特に、消費電力が大きく、かつ撮影可能となるまでに多くの時間を必要とする回路の電源を落とした場合、撮影可能となるまでの時間が長くなる。
【０００５】
本発明はこれらの問題に鑑みてなされたものであり、省電力化を図りながら、比較的短時間で撮影を開始できる画像記録装置を得ることを目的とする。
【課題を解決するための手段】
【０００６】
本願第１の発明による画像記録装置は、着脱可能な撮像レンズを介して被写体像を撮像する画像記録装置であって、複数の動作モードに応じて、画像記録装置の動作を制御する装置制御手段と、撮像レンズに供給する電力を制御するレンズ電源制御手段とを備え、動作モードが画像を再生する再生モードであるときに、所定期間以上撮像を行わない処理を装置制御手段が行うとき、撮像レンズに供給する電力をレンズ電源供給手段が切断することを特徴とする。
【０００７】
画像記録装置は、画像を表示する画像表示手段をさらに備え、所定期間以上撮像を行わない処理は、画像表示手段が画像を所定の時間間隔で連続的に表示するスライドショーモードであってもよい。
【０００８】
画像記録装置は、画像を表示する画像表示手段をさらに備え、所定期間以上撮像を行わない処理は、画像表示手段が動画を表示する動画再生モードであってもよい。
【０００９】
画像記録装置は、画像を表示する画像表示手段と、画像表示手段に表示されている画像を編集する編集手段とをさらに備え、所定期間以上撮像を行わない処理は、画像を編集する画像編集モードであってもよい。
【００１０】
画像記録装置は、画像を表示する画像表示手段と、画像表示手段に表示されている画像を次の画像又は前の画像に変更する変更手段とをさらに備え、所定期間以上撮像を行わない処理は、画像表示手段に表示されている画像を次の画像又は前の画像に変更する画像送り戻し再生モードであってもよい。
【００１１】
本願第２の発明による消費電力低減方法は、着脱可能な撮像レンズを介して被写体像を撮像する画像記録装置において用いられる方法であって、画像記録装置の動作モードを、画像を再生する再生モードに移行するステップと、再生モードにおいて、所定期間以上撮像を行わない処理を実行するステップと、処理を行うとき、撮像レンズに供給する電力を切断するステップとを備えることを特徴とする。
【発明の効果】
【００１２】
本発明によれば、省電力化を図りながら、比較的短時間で撮影を開始できる画像記録装置及び消費電力低減方法を得る。
【図面の簡単な説明】
【００１３】
【図１】画像記録装置を概略的に示したブロック図である。
【図２】省電力処理を示したフローチャートである。
【発明を実施するための形態】
【００１４】
以下、本発明における画像記録装置の一実施形態であるデジタルカメラ１００について添付図面を参照して説明する。まず、図１を用いてデジタルカメラ１００の構成について説明する。
【００１５】
デジタルカメラ１００は、カメラ本体１１０及び撮影レンズ１５０を有する。撮影レンズ１５０は着脱自在にカメラ本体１１０と取り付けられる。
【００１６】
カメラ本体１１０は、カメラプロセッサ１１１、バッテリ１１２、カメラ電源回路１１３、レンズ送電部１１４、モニタ１１５、ＳＤカード１１６（登録商標）、スイッチ群１１７、ＤＲＡＭ１１８、及び撮像素子ユニット１２０を主に備える。
【００１７】
カメラプロセッサ１１１は、カメラ本体１１０が備える各要素及び撮影レンズ１５０が備える各要素と電気的に接続され、カメラ本体１１０及び撮影レンズ１５０の動作を制御する。
【００１８】
バッテリ１１２は、カメラプロセッサ１１１及びカメラ電源回路１１３に接続され、カメラプロセッサ１１１の制御のもとにカメラ電源回路１１３に電力を供給する。カメラ電源回路１１３は、バッテリ１１２から電力を受電して、電圧を調整し、デジタルカメラ１００の各部に電力を供給する。レンズ送電部１１４は、カメラ電源回路１１３に接続され、カメラ電源回路１１３から受電した電力を電圧を調整しながら撮影レンズ１５０に送信する。
【００１９】
モニタ１１５は、カメラプロセッサ１１１に接続される。撮影に必要な情報、画像の情報、及び画像等をカメラプロセッサ１１１がモニタ１１５に送信すると、モニタ１１５は、これらの情報や画像を表示する。
【００２０】
ＳＤカード１１６は、カメラプロセッサ１１１に接続される。カメラプロセッサ１１１が画像をＳＤカード１１６に送信すると、ＳＤカード１１６が画像を保存する。
【００２１】
スイッチ群１１７は、カメラプロセッサ１１１に接続される。ユーザは、スイッチ群１１７を操作して様々な情報や指示をカメラプロセッサ１１１に送信する。
【００２２】
撮像素子ユニット１２０は、撮像素子１２１と手振れ補正部１２２とを備える。撮像素子１２１は、カメラプロセッサ１１１に接続され、カメラプロセッサ１１１の指示のもとに被写体像を撮像して、カメラプロセッサ１１１に画像を送信する。手振れ補正部１２２は、図示しないぶれ検知センサとぶれ補正モータとを備える。ぶれ検知センサは、デジタルカメラ１００のぶれを検知してぶれ量をカメラプロセッサ１１１に送信する。カメラプロセッサ１１１は、ぶれ量に基づいてぶれ補正量を算出し、ぶれ補正モータに送信する。ぶれ補正モータは、撮像素子１２１に接続されており、ぶれ補正量に基づいて撮像素子１２１を駆動する。
【００２３】
カメラプロセッサ１１１は、撮像素子１２１から画像を受信すると、画像に様々な処理を施して、モニタ１１５又はＳＤカード１１６に送信する。
【００２４】
撮影レンズ１５０は、レンズ受電部１５１、レンズＣＰＵ１５２、モータドライバ１５４、シャッタモータ１５５、ＮＤモータ１５６、絞りモータ１５７、ＡＦモータ１５８と、ズームリング１６１、ズームレンズ群１６２、レンズシャッタ１６３、ＮＤフィルタ１６４、絞り１６５と、フォーカスレンズ群１６６、フォーカスリング１６７、ズームセンサ１７１、レンズ位置センサ１７２、及びフォーカスリングセンサ１７３を主に備える。
【００２５】
レンズ受電部１５１は、レンズ送信部に接続されて、撮影レンズ１５０が備える各部材に電力を供給する。
【００２６】
レンズＣＰＵ１５２は、フラッシュＲＯＭ１５３を備え、カメラプロセッサ１１１、モータドライバ１５４、ズームセンサ１７１、レンズ位置センサ１７２、及びフォーカスリングセンサ１７３に接続される。カメラプロセッサ１１１からの指示をレンズＣＰＵ１５２が受信すると、カメラプロセッサ１１１からの指示を受信して、受信した指示に応じて絞り開度の調整、ピント合わせといった様々な処理を実行する。
【００２７】
モータドライバ１５４は、シャッタモータ１５５、ＮＤモータ１５６、絞りモータ１５７、及びＡＦモータ１５８に接続され、レンズＣＰＵ１５２からの指示に応じて、これらのモータを駆動する。
【００２８】
撮影レンズ１５０の光軸上に、ズームレンズ群１６２、レンズシャッタ１６３、ＮＤフィルタ１６４、絞り１６５、及びフォーカスレンズ群１６６が設けられる。ズームレンズ群１６２にはズームリング１６１が取り付けられ、ユーザがズームリング１６１を回転させたときにズームレンズ群１６２が光軸方向に移動する。これにより、撮影レンズ１５０の焦点距離が変化する。レンズシャッタ１６３はシャッタモータ１５５に接続され、シャッタモータ１５５によって開閉される。これにより、撮像素子１２１に照射される光を通過、又は遮断する。ＮＤフィルタ１６４はＮＤモータ１５６に接続され、ＮＤモータ１５６によって光路上から進退する。光路上に位置するＮＤフィルタ１６４は、透過する光の光量を低下させる。絞り１６５は絞りモータ１５７に接続され、絞りモータ１５７によって絞り開度が調節される。これにより、絞り１６５を通過する光の光量が調節される。フォーカスレンズ群１６６は、ＡＦモータ１５８に接続され、ＡＦモータ１５８によって光軸方向に駆動される。これにより、ピント調節がなされ、撮像素子１２１に被写体像が結像する。フォーカスリング１６７はフォーカスレンズ群１６６に接続される。ユーザがフォーカスリング１６７を回転させたとき、フォーカスレンズ群１６６が光軸方向に移動する。これにより、ピント調節がなされる。
【００２９】
ズームレンズ群１６２にズームセンサ１７１が取り付けられる。ズームセンサ１７１は、光軸方向におけるズームレンズ群１６２の位置を測定し、レンズＣＰＵ１５２に送信する。フォーカスレンズ群１６６にレンズ位置センサ１７２が取り付けられる。レンズ位置センサ１７２は、光軸方向におけるフォーカスレンズ群１６６の位置を測定し、レンズＣＰＵ１５２に送信する。フォーカスリング１６７にフォーカスリングセンサ１７３が取り付けられる。フォーカスリングセンサ１７３は、フォーカスリング１６７の回転角度を測定し、レンズＣＰＵ１５２に送信する。
【００３０】
撮影レンズ１５０は、レンズ撮影モード、第１省電力モード、及び第２省電力モードを有する。レンズ撮影モードは被写体像を撮影するときの動作モードであって、撮影レンズ１５０の全ての部材に電力が供給され、撮影レンズ１５０は通常の動作クロックで動作し、カメラ本体１１０と通常の頻度で通信を行う。第１省電力モードでは、撮影レンズ１５０がレンズ撮影モードにあるときの動作クロックよりも低い動作クロックで動作し、かつレンズ撮影モードにあるときの通信頻度よりも低い頻度でカメラ本体１１０と通信を行う。デジタルカメラ１００からの指示によって、後述する初期化動作を行うことなく撮影モードに移行することが可能である。第１省電力モードは、レンズ撮影モードよりも電力を消費しない。第２省電力モードは、撮影レンズ１５０が有する全ての部材に電力を供給しない動作モードである。デジタルカメラ１００からの指示を受けると、初期化動作を行った後に撮影モードに移行する。第２省電力モードは、第１省電力モードよりも電力を消費しないが、レンズ撮影モードに移行するまでの時間は第１省電力モードよりも長い。
【００３１】
次に、デジタルカメラ１００の電源を入れる動作について説明する。スイッチ群１１７に含まれる電源スイッチをユーザが操作すると、カメラプロセッサ１１１に信号が送信される。信号を受信したカメラプロセッサ１１１はカメラ本体１１０各部及び撮影レンズ１５０へバッテリ１１２から電力を供給する。そして、電力を受電したカメラ本体１１０各部及び撮影レンズ１５０は、初期化動作を行う。
【００３２】
撮影レンズ１５０の初期化動作について説明する。撮影レンズ１５０に電力が供給されると、シャッタモータ１５５、ＮＤモータ１５６、絞りモータ１５７、及びＡＦモータ１５８を所定角度だけ回転させる命令をレンズＣＰＵ１５２がモータドライバ１５４に送信する。これによりシャッタモータ１５５、ＮＤモータ１５６、絞りモータ１５７、及びＡＦモータ１５８が正確に動作するか否かを確認する。また、ズームセンサ１７１、レンズ位置センサ１７２、及びフォーカスリングセンサ１７３がズームレンズ群１６２、フォーカスレンズ群１６６、及びフォーカスリング１６７の位置を検知して、レンズＣＰＵ１５２に送信する。レンズＣＰＵ１５２は、各センサからの値に基づいて各モータを駆動して、レンズシャッタ１６３及び絞り１６５を解放し、フォーカスレンズ群１６６をフォーカス原点位置に移動し、ＮＤフィルタ１６４の位置を初期位置に移動させる。このように、撮影レンズ１５０の初期化動作は時間と電力とを必要とする。
【００３３】
カメラ本体１１０各部の初期化動作について説明する。撮像素子ユニット１２０は、電力を受電すると、ぶれ補正モータを駆動して、正常に動作するか否かを確認する。ぶれ補正モータが正常に動作する場合、ぶれ補正モータを駆動して撮像素子１２１を初期位置に移動させる。カメラプロセッサ１１１は、モニタ１１５、ＳＤカード１１６、及びＤＲＡＭ１１８に対して初期化信号を送信して、これらの部材を初期化する。カメラ本体１１０及び撮影レンズ１５０の初期化動作が完了すると、デジタルカメラ１００は撮影モードで動作して、いつでも撮影可能な状態になる。
【００３４】
デジタルカメラ１００は、複数の動作モードを備える。動作モードは、撮影モード及び再生モードを含む。撮影モードでは、デジタルカメラ１００は被写体像を撮影して静止画像又は動画像を作成し、ＳＤカード１１６に静止画像又は動画像を記録する。
【００３５】
再生モードは、ＳＤカード１１６に記録されている静止画像又は動画像をモニタ１１５に表示する動作モードであって、スライドショーモード、静止画再生モード、動画再生モード、画像編集モード、及び画像送り戻し再生モードを有する。スイッチ群１１７に含まれる再生ボタンをユーザが操作すると、デジタルカメラ１００が再生モードに移行し、デジタルカメラ１００が再生モードであるときに再生ボタンを操作されると、デジタルカメラ１００は撮影モードに移行する。
【００３６】
スライドショーモードは、所定の時間間隔で連続的に静止画像をモニタ１１５に表示する。スイッチ群１１７に含まれる所定のスイッチをユーザが操作したとき、スライドショーモードにデジタルカメラ１００が移行する。動画再生モードは、モニタ１１５に動画像を表示して再生する。スイッチ群１１７に含まれる所定のスイッチをユーザが操作したとき、動画再生モードにデジタルカメラ１００が移行する。画像編集モードは、モニタ１１５に表示されている静止画像をユーザがスイッチ群１１７を用いて編集する動作モードである。スイッチ群１１７に含まれる所定のスイッチをユーザが操作したとき、画像編集モードにデジタルカメラ１００が移行する。画像送り戻し再生モードは、ユーザによるスイッチ群１１７の操作に従って、モニタ１１５に表示されている静止画像をコマ送りする動作モードである。より詳しく説明すると、スイッチ群１１７に含まれる送りスイッチをユーザが操作したとき、現在表示されている静止画像が次の静止画像に変更され、スイッチ群１１７に含まれる戻しスイッチをユーザが操作したとき、現在表示されている静止画像が前の静止画像に変更される。スイッチ群１１７に含まれる送り又は戻しスイッチをユーザが操作して、静止画像を次の静止画像又は前の静止画像に変更したとき、デジタルカメラ１００が画像送り戻し再生モードに移行する。静止画像の順番は、撮影時間順によって決められる。そして、以上の説明から解るように、デジタルカメラ１００が再生モードにあるとき、撮影レンズ１５０は動作する必要が全くない。
【００３７】
次に、図２を用いて省電力処理について説明する。省電力処理は、デジタルカメラ１００の電源が投入されたときにカメラプロセッサ１１１によって実行され、デジタルカメラ１００が所定の動作を行うときに撮影レンズ１５０への電力供給を遮断する。つまり、デジタルカメラ１００は省電力処理を実行することによって、自らの消費電力を低減する。
【００３８】
まず、ステップＳ２１では、カメラプロセッサ１１１がレンズ送電部１１４から撮影レンズ１５０に電力を送電する。
【００３９】
次のステップＳ２２では、前述の初期化動作を撮影レンズ１５０が行う。これにより、レンズシャッタ１６３及び絞り１６５が解放され、フォーカスレンズ群１６６がフォーカス原点位置に移動され、ＮＤフィルタ１６４の位置が初期位置に移動される。
【００４０】
次のステップＳ２３では、デジタルカメラ１００が撮影処理を行う。撮影処理では、デジタルカメラ１００が被写体像を撮影して画像を作成し、ＳＤカード１１６に画像を記録する。
【００４１】
次のステップＳ２４では、再生ボタンが操作されたか否かを判断する。再生ボタンが操作された場合、処理はステップＳ２５に進み、操作されない場合、処理はステップＳ２３の撮影処理を反復する。
【００４２】
ステップＳ２５では、カメラ本体１１０は動作モードを再生モードに移行して再生処理を実行する。再生処理は、ＳＤカード１１６に記録されている静止画像又は動画像をモニタ１１５に表示する処理である。
【００４３】
次のステップＳ２６では、撮影レンズ１５０が第１省電力モードに移行する。第１の省電力モードでは、撮影レンズ１５０がレンズ撮影モードにあるときの動作クロックよりも低い動作クロックで動作し、かつレンズ撮影モードにあるときの通信頻度よりも低い頻度でカメラ本体１１０と通信を行う。これにより、撮影レンズ１５０の消費電力を、レンズ撮影モードよりも抑えることが出来る。
【００４４】
次のステップＳ２７では、デジタルカメラ１００が画像送り戻し再生モードにあるか否かを判断する。デジタルカメラ１００が画像送り戻し再生モードである場合、処理はステップＳ３４に進み、画像送り戻し再生モードでない場合、処理はステップＳ２８に進む。
【００４５】
次のステップＳ２８では、デジタルカメラ１００がスライドショーモードにあるか否かを判断する。デジタルカメラ１００がスライドショーモードである場合、処理はステップＳ３４に進み、スライドショーモードでない場合、処理はステップＳ２９に進む。
【００４６】
次のステップＳ２９では、画像編集モードにあるか否かを判断する。デジタルカメラ１００が画像編集モードである場合、処理はステップＳ３４に進み、画像編集モードでない場合、処理はステップＳ３０に進む。
【００４７】
次のステップＳ３０では、動画再生モードにあるか否かを判断する。デジタルカメラ１００が動画再生モードである場合、処理はステップＳ３４に進み、動画再生モードでない場合、処理はステップＳ３１に進む。
【００４８】
ステップＳ３４では、撮影レンズ１５０が第２省電力モードに移行する。第２の省電力モードでは、撮影レンズ１５０が有する全ての部材に電力を供給しない。これにより、撮影レンズ１５０の消費電力を、レンズ撮影モード及び第１省電力モードよりも抑えることが出来る。
【００４９】
次のステップＳ３５では、再生ボタンが操作されたか、つまりＯＮになったか否かを判断する。ＯＮになっていない場合、処理はステップＳ３６に進む。再生ボタンがＯＮになった場合、処理はステップＳ２１に戻って再度Ｓ２１以降の処理を実行する。これにより、デジタルカメラ１００は再生モードから撮影モードに移行し、撮影レンズ１５０は第２省電力モードからレンズ撮影モードに移行する。撮影レンズ１５０は、レンズ撮影モードに入るときに初期化動作を行う。そして、デジタルカメラ１００は撮影準備を完了して撮影が可能な状態になる。
【００５０】
ステップＳ３６では、シャッターレリーズボタンが半押しされたか否かを判断する。半押しされていない場合、処理はステップＳ３３に進む。半押しされた場合、処理はステップＳ２１に戻って再度Ｓ２１以降の処理を実行する。そして、カメラ本体１１０及び撮影レンズ１５０は、処理がステップＳ３５からステップＳ２１に移行したときと同様の動作を行う。
【００５１】
ステップＳ３０でデジタルカメラ１００が動画再生モードでないと判断された場合、ステップＳ３１において、再生ボタンが操作されたか、つまりＯＮになったか否かを判断する。ＯＮになっていない場合、処理はステップＳ３２に進む。再生ボタンがＯＮになった場合、処理はステップＳ２３に戻って再度Ｓ２３以降の処理を実行する。これにより、デジタルカメラ１００は再生モードから撮影モードに移行し、撮影レンズ１５０は第１省電力モードからレンズ撮影モードに移行する。そして、デジタルカメラ１００は撮影準備を完了して撮影が可能な状態になる。撮影レンズ１５０は、レンズ撮影モードに入るときに初期化動作を行わない。撮影レンズ１５０が初期化動作を行わないため、デジタルカメラ１００が撮影準備を完了するまでの時間は、撮影レンズ１５０が第２省電力モードにあるときよりも短い。
【００５２】
ステップＳ３２では、シャッターレリーズボタンが半押しされたか否かを判断する。半押しされていない場合、処理はステップＳ３３に進む。半押しされた場合、処理はステップＳ２３に戻って再度Ｓ２３以降の処理を実行する。そして、カメラ本体１１０及び撮影レンズ１５０は、処理がステップＳ３１からステップＳ２３に移行したときと同様の動作を行う。
【００５３】
ステップＳ３３では、スイッチ群１１７に含まれる電源スイッチがＯＦＦにされたか否かを判断する。ＯＦＦにされた場合、処理は終了する。ＯＦＦにされていない場合、処理はステップＳ２７に戻って再度Ｓ２７以降の処理を実行する。これにより、デジタルカメラ１００は再生モードで動作する。
【００５４】
スライドショーモード、動画再生モード、画像編集モード、及び画像送り戻し再生モードのように、長時間撮影を行わないことが明らかな動作モードにおいて、撮影レンズ１５０を第２省電力モードに移行させて撮影レンズ１５０の電源を切断することによって、デジタルカメラ１００の消費電力を低減できる。また、スライドショーモード、動画再生モード、画像編集モード、及び画像送り戻し再生モード以外の再生モード、すなわち間もなく撮影する可能性が高い再生モードでデジタルカメラ１００が動作しているときに撮影レンズ１５０を第１省電力モードに移行させることによって、撮影レンズ１５０の消費電力をレンズ撮影モードにあるときよりも低減し、かつ撮影可能な状態に復帰するまでの時間を短縮できる。
【００５５】
以上のように、本実施形態によれば、省電力モードから撮影モードに移行するまでの時間を短くし、これにより撮影開始までの時間を短縮してユーザを待たせることなく、デジタルカメラ１００の消費電力を低減することができる。
【００５６】
さらに本実施形態によれば、省電力モードへ移行する条件を制限して安易に省電力モードへ移行させない、すなわち、移行する条件に合えば直ぐに省電力モードに移行することができる。
【００５７】
なお、スライドショーモード、画像編集モード、及び画像送り戻し再生モードにおいてモニタ１１５に表示する画像は静止画像でなくても良く、動画像に含まれる１フレームの静止画像であっても良い。
【００５８】
また、画像送り戻し再生モードにおける静止画像の順番は撮影時間順でなくても良く、ユーザの意志によって定められた順番等であっても良い。
【００５９】
第１省電力モードにおいて、レンズＣＰＵ１５２、レンズ位置センサ１７２、及びフォーカスリングセンサ１７３に電力を供給するが、モータドライバ１５４、シャッタモータ１５５、ＮＤモータ１５６、絞りモータ１５７、及びＡＦモータ１５８には電力を供給しなくてもよい。また、第１省電力モードにおいて電源が供給されない部材は、前述の部材に限定されない。部材の消費電力及び初期化動作に必要な時間を按分して決定される。
【００６０】
撮影レンズ１５０がカメラ本体１１０に沈胴可能に設けられる場合、第１省電力モードでは、ズームレンズ群１６２、レンズシャッタ１６３、ＮＤフィルタ１６４、絞り１６５、及びフォーカスレンズ群１６６等の光軸上にある部材の全て又は一部がカメラ本体１１０沈胴しないように構成してもよい。
【００６１】
また、ステップＳ２６は、ステップＳ２５とステップＳ２７との間でなく、ステップＳ３０でＮＯに進んだ後に実行されても良い。
【００６２】
ステップＳ２７からＳ３０でＹＥＳが選択されたときが、レンズ交換が行われたときから所定期間内、又は所定のコマ数を撮影するまでの期間内であるとき、第２省電力モードに処理が移行しなくてもよい。レンズ交換が行われたときから所定期間内としたのは、ユーザは、レンズ交換を行ったときに撮影画像を確認しながら撮影を繰り返す可能性が高く、このとき第２省電力モードに移行すると撮影までの時間が長くなってしまうからである。また、所定のコマ数を撮影するまでの期間内としたのは、通常の撮影において、画像を確認しながら撮影する可能性が高く、このとき第２省電力モードに移行すると撮影までの時間が長くなってしまうからである。
【符号の説明】
【００６３】
１００  デジタルカメラ
１１０  カメラ本体
１１１  カメラプロセッサ
１１２  バッテリ
１１３  カメラ電源回路
１１４  レンズ送電部
１１５  モニタ
１１６  ＳＤカード
１１７  スイッチ群
１１８  ＤＲＡＭ
１２０  撮像素子ユニット
１２１  撮像素子
１２２  手振れ補正部
１５０  撮影レンズ
１５１  レンズ受電部
１５２  レンズＣＰＵ
１５３  フラッシュＲＯＭ
１５４  モータドライバ
１５５  シャッタモータ
１５６  ＮＤモータ
１５７  絞りモータ
１５８  ＡＦモータ
１６１  ズームリング
１６２  ズームレンズ群
１６３  レンズシャッタ
１６４  ＮＤフィルタ
１６６  フォーカスレンズ群
１６７  フォーカスリング
１７１  ズームセンサ
１７２  レンズ位置センサ
１７３  フォーカスリングセンサ
【図１】
2013102390.tif 000003
【図２】
2013102390.tif 000004